(57)【要約】【課題】装着時に引き上げ易く、かつ体液の吸収面積を確保できる吸収性物品を提供する。【解決手段】吸収性物品（１０）は、吸収コア（３１）と、吸収コアよりも幅方向の外側に延出するサイドフラップ（１５）と、を備える。吸収コアは、吸収コアの前後方向の全長を３等分した域、股下域及び後側域を有する。股下域におけるサイドフラップの幅方向の長さは、３０ｍｍ以上である。股下域（Ｒ１３）は、中央領域（Ｒ１３Ｃ）と、中央領域よりも幅方向の両外側に位置するサイド領域（Ｒ１３Ｓ）と、を有する。中央領域の両側の外側縁には、低坪量部（３３）が前後方向に沿って設けられている。中央領域の前後方向の収縮力は、サイド領域の前後方向の収縮力よりも高い。【選択図】図１
2019129905.tif 000002
【特許請求の範囲】
【請求項１】
前後方向と、
前記前後方向に直交する幅方向と、
吸収材料を含む吸収コアと、
前記吸収コアよりも前記幅方向の外側に延出するサイドフラップと、
前記サイドフラップに設けられたファスニングテープと、を備え、
前記吸収コアの前記前後方向の全長を３等分した前側域、股下域及び後側域を有し、
前記股下域における前記サイドフラップの前記幅方向の長さは、３０ｍｍ以上である吸収性物品であって、
前記股下域は、中央領域と、前記中央領域よりも前記幅方向の両外側に位置するサイド領域と、を有し、
前記中央領域の両側の外側縁には、周囲よりも前記吸収材料の坪量が低い低坪量部が前記前後方向に沿って設けられており、
前記中央領域の前記前後方向の収縮力は、前記サイド領域の前記前後方向の収縮力よりも高い、吸収性物品。
【請求項２】
前記中央領域には、前記前後方向に伸縮する中央弾性部材が設けられている、請求項１に記載の吸収性物品。
【請求項３】
前後方向と、
前記前後方向に直交する幅方向と、
吸収材料を含む吸収コアと、
前記吸収コアよりも前記幅方向の外側に延出するサイドフラップと、
前記サイドフラップに設けられたファスニングテープと、を備え、
前記吸収コアの前記前後方向の全長を３等分した前側域、股下域及び後側域を有し、
前記股下域における前記サイドフラップの前記幅方向の長さは、３０ｍｍ以上である吸収性物品であって、
前記股下域は、中央領域と、前記中央領域よりも前記幅方向の外側に位置するサイド領域と、を有し、
前記中央領域の外側縁には、周囲よりも前記吸収材料の坪量が低い一対の低坪量部が前記前後方向に沿って設けられており、
前記中央領域には、前記中央領域が前記サイド領域よりも着用者側に突出した凸形状に前記股下域の前記吸収コアが変形するように、前記前後方向に伸縮する中央弾性部材が設けられている、吸収性物品。
【請求項４】
前記中央弾性部材は、前記幅方向において、前記中央領域の中心と前記中央領域の外側縁との中心よりも外側に配置されている、請求項２又は請求項３に記載の吸収性物品。
【請求項５】
前記中央弾性部材は、前記低坪量部に重なって配置されている、請求項２から請求項４のいずれか１項に記載の吸収性物品。
【請求項６】
前記中央弾性部材は、前記中央領域の前記幅方向の中心と重ならない位置において、前記幅方向に離れて一対で配置されている、請求項２から請求項５のいずれか１項に記載の吸収性物品。
【請求項７】
前記中央弾性部材は、前記吸収コアの非肌対向面側に配置されている、請求項２から請求項６のいずれか１項に記載の吸収性物品。
【請求項８】
前記中央弾性部材は、前記サイド領域の前記吸収コアに重ならない領域に配置されている、請求項２から請求項７のいずれか１項に記載の吸収性物品。
【請求項９】
前記中央弾性部材は、前記吸収性物品を前記前後方向に二つに折った折り目を跨いで配置され、
前記中央弾性部材の前記前後方向の中心は、前記吸収性物品の前記前後方向の中心よりも後方に位置する、請求項２から請求項８のいずれか１項に記載の吸収性物品。
【請求項１０】
前記中央弾性部材の後端縁は、前記吸収性物品の後端縁から前記吸収性物品の前記前後方向の全長に対する１／３までの領域よりも前側に位置する、請求項２から請求項９のいずれか１項に記載の吸収性物品。
【請求項１１】
前記中央弾性部材の後端縁は、前記低坪量部の後端縁よりも前側に位置する、請求項２から請求項１０のいずれか１項に記載の吸収性物品。
【請求項１２】
前記低坪量部間の距離は、前記吸収コアの前記幅方向の最大長さに対する１／２以下である、請求項１から請求項１１のいずれか１項に記載の吸収性物品。
【請求項１３】
前記低坪量部間の距離は、前記股下域における前記吸収コアの前記幅方向の最小長さに対する１／２以下である、請求項１から請求項１１のいずれか１項に記載の吸収性物品。
【請求項１４】
前記中央領域の前記幅方向の曲げ剛性は、前記サイド領域の前記幅方向の曲げ剛性よりも高い、請求項１から請求項１３のいずれか１項に記載の吸収性物品。
【請求項１５】
前記中央領域には、少なくとも前記吸収コアを圧搾した圧搾部が形成されている、請求項１４に記載の吸収性物品。
【請求項１６】
前記圧搾部は、前記低坪量部間に配置されている、請求項１５に記載の吸収性物品。
【請求項１７】
前記中央領域には、前記前後方向に伸縮する中央弾性部材が配置されており、
前記中央弾性部材は、前記圧搾部よりも前記幅方向の外側に配意されている、請求項１５又は請求項１６に記載の吸収性物品。
【発明の詳細な説明】
【技術分野】
【０００１】
本発明は、使い捨ておむつ等のテープ型の吸収性物品に関する。
【背景技術】
【０００２】
特許文献１に記載された吸収性物品は、吸収コアと、吸収コアよりも幅方向の外側に延出するサイドフラップと、を有するテープ型の吸収性物品である。このように構成された吸収性物品を装着する際は、まず、吸収性物品を展開した状態で吸収性物品の後胴回り域に着用者の臀部を載せる。そして、着用者の両脚の間に吸収性物品を通し、着用者の腹部を覆うことができるように吸収性物品を引き上げる。
【先行技術文献】
【特許文献】
【０００３】
【特許文献１】特開２０１７−６３８４８号公報
【発明の概要】
【発明が解決しようとする課題】
【０００４】
このように構成された吸収性物品は、吸収コアよりも幅方向の外側に延出したサイドフラップを有する。サイドフラップは、装着時に着用者の脚に当たり易い。装着時にサイドフラップが脚に当たることにより、吸収性物品を腹部に引き上げ難くなることがある。また、装着時の引き上げ易さを確保するために、吸収コアの幅方向の長さを短くすることが考えられる。しかし、吸収コアの幅方向の長さを短くすると、体液の吸収面積を十分に確保できないおそれがあった。
【０００５】
そこで、装着時に引き上げ易く、かつ体液の吸収面積を確保できる吸収性物品が望まれる。
【課題を解決するための手段】
【０００６】
一態様に係る吸収性物品は、前後方向と、前記前後方向に直交する幅方向と、吸収材料を含む吸収コアと、前記吸収コアよりも前記幅方向の外側に延出するサイドフラップと、前記サイドフラップに設けられたファスニングテープと、を備え、前記吸収コアの前記前後方向の全長を３等分した前側域、股下域及び後側域を有し、前記股下域における前記サイドフラップの前記幅方向の長さは、３０ｍｍ以上である吸収性物品であって、前記股下域は、中央領域と、前記中央領域よりも前記幅方向の両外側に位置するサイド領域と、を有し、前記中央領域の両側の外側縁には、周囲よりも前記吸収材料の坪量が低い低坪量部が前記前後方向に沿って設けられており、前記中央領域の前記前後方向の収縮力は、前記サイド領域の前記前後方向の収縮力よりも高い。
【０００７】
他の態様に係る吸収性物品は、前後方向と、前記前後方向に直交する幅方向と、吸収材料を含む吸収コアと、前記吸収コアよりも前記幅方向の外側に延出するサイドフラップと、前記サイドフラップに設けられたファスニングテープと、を備え、前記吸収コアの前記前後方向の全長を３等分した前側域、股下域及び後側域を有し、前記股下域における前記サイドフラップの前記幅方向の長さは、３０ｍｍ以上である吸収性物品であって、前記股下域は、中央領域と、前記中央領域よりも前記幅方向の外側に位置するサイド領域と、を有し、前記中央領域の外側縁には、周囲よりも前記吸収材料の坪量が低い一対の低坪量部が前記前後方向に沿って設けられており、前記中央領域には、前記中央領域が前記サイド領域よりも着用者側に突出した凸形状に前記股下域の前記吸収コアが変形するように、前記前後方向に伸縮する中央弾性部材が設けられている。
【図面の簡単な説明】
【０００８】
【図１】実施形態に係る吸収性物品の模式平面図である。
【図２】図１に示す吸収性物品のＡ−Ａ断面に沿った模式断面図である。
【図３】図１に示す吸収性物品のＢ−Ｂ断面に沿った模式断面図である。
【図４】吸収性物品のＡ−Ａ断面における装着状態を模式的に示した図である。
【図５】吸収性物品のＢ−Ｂ断面における装着状態を模式的に示した図である。
【図６】実施形態に係る吸収性物品の装着状態を模式的に示した図である。
【発明を実施するための形態】
【０００９】
（１）実施形態の概要
本明細書及び添付図面の記載により、少なくとも以下の事項が明らかとなる。
一態様に係る吸収性物品は、前後方向と、前記前後方向に直交する幅方向と、吸収材料を含む吸収コアと、前記吸収コアよりも前記幅方向の外側に延出するサイドフラップと、前記サイドフラップに設けられたファスニングテープと、を備え、前記吸収コアの前記前後方向の全長を３等分した前側域、股下域及び後側域を有し、前記股下域における前記サイドフラップの前記幅方向の長さは、３０ｍｍ以上である吸収性物品であって、前記股下域は、中央領域と、前記中央領域よりも前記幅方向の両外側に位置するサイド領域と、を有し、前記中央領域の両側の外側縁には、周囲よりも前記吸収材料の坪量が低い低坪量部が前記前後方向に沿って設けられており、前記中央領域の前記前後方向の収縮力は、前記サイド領域の前記前後方向の収縮力よりも高い。
【００１０】
本態様によれば、装着時に股下域を着用者側に近づけるように吸収性物品を引き上げると、股下域は、中央領域がサイド領域よりも身体側に突出した凸形状に変形する。股下域の吸収コアが凸形状に変形することにより、装着時に吸収コア全体の幅方向の長さが短くなる。装着時にサイドフラップが着用者の脚に当たり難くなり、吸収性物品が引き上げられ易くなる。よって、吸収性物品の装着性（履かせ易さ）が向上する。また、股下域の吸収コアが凸形状に変形することによって装着時の引き上げ易さを実現するため、股下域全体の幅方向の長さを確保でき、体液の吸収面積を確保できる。
【００１１】
好ましい一態様によれば、前記中央領域には、前記前後方向に伸縮する中央弾性部材が設けられてよい。
【００１２】
本態様によれば、中央弾性部材の収縮によって、股下域の吸収コアは、中央領域がサイド領域よりも着用者側に突出した凸形状により変形し易くなる。よって、装着時にサイドフラップが着用者の脚に当たり難くなり、吸収性物品がより引き上げられ易くなる。
【００１３】
他の態様に係る吸収性物品は、前後方向と、前記前後方向に直交する幅方向と、吸収材料を含む吸収コアと、前記吸収コアよりも前記幅方向の外側に延出するサイドフラップと、前記サイドフラップに設けられたファスニングテープと、を備え、前記吸収コアは、前記吸収コアの前記前後方向の全長を３等分した前側域、股下域及び後側域を有し、前記股下域における前記サイドフラップの前記幅方向の長さは、３０ｍｍ以上である吸収性物品であって、前記股下域は、中央領域と、前記中央領域よりも前記幅方向の外側に位置するサイド領域と、を有し、前記中央領域の外側縁には、周囲よりも前記吸収材料の坪量が低い一対の低坪量部が前記前後方向に沿って設けられており、前記中央領域には、前記中央領域が前記サイド領域よりも着用者側に突出した凸形状に前記股下域の前記吸収コアが変形するように、前記前後方向に伸縮する中央弾性部材が設けられている。
【００１４】
本態様によれば、装着時に股下域を着用者側に近づけるように吸収性物品を引き上げると、股下域の吸収コアは、中央領域がサイド領域よりも身体側に突出した凸形状に変形する。股下域の吸収コアが凸形状に変形することにより、装着時に吸収コア全体の幅方向の長さが短くなる。装着時にサイドフラップが着用者の脚に当たり難くなり、吸収性物品が引き上げられ易くなる。また、股下域の吸収コアが凸形状に変形することによって装着時の引き上げ易さを実現するため、股下域全体の幅方向の長さを確保でき、体液の吸収面積を確保できる。
【００１５】
好ましい一態様によれば、前記中央弾性部材は、前記幅方向において、前記中央領域の中心と前記中央領域の外側縁との中心よりも外側に配置されてよい。
【００１６】
本態様によれば、中央弾性部材が、幅方向において、中央領域の中心と中央領域の外側縁との中心よりも外側に位置するため、中央弾性部材による収縮力が低坪量部に作用し易い。低坪量部は、坪量の違いによる剛性差及び中央弾性部材の収縮力の両方によって身体側に引き上げられ易くなる。よって、股下域の吸収コアが凸形状に変形し、装着時の引き上げ易さを実現し易くなる。
【００１７】
好ましい一態様によれば、前記中央弾性部材は、前記低坪量部に重なって配置されてよい。
【００１８】
本態様によれば、中央弾性部材による収縮力が低坪量部により作用し易い。坪量の違いによる剛性差及び中央弾性部材の収縮力の両方によって低坪量部が身体側に引き上げられ易くなり、股下域の吸収コアが凸形状に変形し、装着時の引き上げ易さを実現し易くなる。
【００１９】
好ましい一態様によれば、前記中央弾性部材は、前記中央領域の前記幅方向の中心と重ならない位置において、前記幅方向に離れて一対で配置されてよい。
【００２０】
本態様によれば、低坪量部間には、中央弾性部材と重ならない領域が設けられる。中央弾性部材と重ならない領域は、中央弾性部材が配置された領域及び低坪量部が設けられた領域よりも着用時に身体から離れて配置され易い。低坪量部間と身体との間に空間が形成されることにより、体液を確保する空間を設けることができ、体液の漏れを抑制できる。
【００２１】
好ましい一態様によれば、前記中央弾性部材は、前記吸収コアの非肌対向面側に配置されてよい。
【００２２】
本態様によれば、中央弾性部材が吸収コアの非肌対向面側に配置されていることにより、中央弾性部材によって吸収コアを着用者側に押し上げやすい。よって、中央弾性部材によって吸収コアを身体側に近づけ、中央領域がサイド領域よりも着用者側に突出した凸形状に股下域の吸収コアがより変形し易くなる。体液の吸収面積を確保しつつ、装着時に引き上げ易くなる効果をより得やすい。
【００２３】
好ましい一態様によれば、前記中央弾性部材は、サイド領域の前記吸収コアに重ならない領域に配置されてよい。
【００２４】
本態様によれば、サイド領域の吸収コアに中央弾性部材が重なっていないため、中央領域がサイド領域と比べてより身体側に引き上げられ易い。中央領域が身体側に突出した凸形状により変形し易い。体液の吸収面積を確保しつつ、装着時に引き上げ易くなる効果をより得やすい。
【００２５】
好ましい一態様によれば、前記中央弾性部材は、前記吸収性物品を前記前後方向に二つに折った折り目を跨いで配置され、前記中央弾性部材の前記前後方向の中心は、前記吸収性物品の前記前後方向の中心よりも後方に位置してよい。
【００２６】
本態様によれば、折り目を跨いで中央弾性部材が配置されていることにより、折り癖を身体に近づけることができる。また、中央弾性部材が吸収性物品の後寄りに配置されていることにより、吸収性物品の前後方向の中心よりも後側をより収縮できる。装着時に身体を載せる領域と中央弾性部材によって収縮する領域と近づけることができ、装着時に身体から延出した領域を身体に沿わせ易い。吸収コアを身体に沿わせて配置し、装着時に脚に吸収コアが引っ掛かることを抑制し、引き上げやすくなる。また、吸収コアを身体に沿わせて配置することにより、体液の吸収面積を確保できる。
【００２７】
好ましい一態様によれば、前記中央弾性部材の後端縁は、前記吸収性物品の後端縁から前記吸収性物品の前記前後方向の全長に対する１／３までの領域よりも前側に位置してよい。
【００２８】
本態様によれば、吸収性物品の後端縁から吸収性物品の前後方向の全長に対する１／３までの領域は、装着時に着用者の身体を載せる領域となり易い。装着時に身体を乗せる領域に中央弾性部材が設けられていないことにより、平滑な状態な吸収コアに身体を載せて、吸収コアを身体に沿って配置し易い。吸収コアが身体に沿って配置されることにより、体液の吸収面積を確保できる。
【００２９】
好ましい一態様によれば、前記中央弾性部材の後端縁は、前記低坪量部の後端縁よりも前側に位置してよい。
【００３０】
本態様によれば、低坪量部よりも後側の領域は、中央弾性部材による収縮力が作用し難く、平滑な状態を維持し易い。低坪量部よりも後側の領域は、装着時に身体を乗せる吸収性物品の後端部は、平滑な状態で身体に沿い易い。吸収コアが身体に沿って配置されることにより、体液の吸収面積を確保できる。
【００３１】
好ましい一態様によれば、前記低坪量部間の距離は、前記吸収コアの前記幅方向の最大長さに対する１／２以下であってよい。
【００３２】
本態様によれば、低坪量部間は、着用時に身体に近づくように配置される。当該低坪量部間の距離が吸収コアの最大長さに対する１／２以下であることにより、着用者の脚の間に配置され易く、吸収コアの凸形状を維持し易い。よって、装着時にサイドフラップが着用者の脚に当たり難くなり、吸収性物品がより引き上げられ易くなる。
【００３３】
好ましい一態様によれば、前記低坪量部間の距離は、前記股下域における前記吸収コアの前記幅方向の最小長さに対する１／２以下であってよい。
【００３４】
本態様によれば、当該低坪量部間の距離が、股下域における吸収コアの最小長さに対する１／２以下であることにより、着用者の脚の間に配置され易く、吸収コアの凸形状を維持し易い。よって、装着時にサイドフラップが着用者の脚に当たり難くなり、吸収性物品がより引き上げられ易くなる。
【００３５】
好ましい一態様によれば、前記中央領域の前記幅方向の曲げ剛性は、前記サイド領域の前記幅方向の曲げ剛性よりも高くてよい。
【００３６】
本態様によれば、中央領域の幅方向の曲げ剛性がサイド領域の幅方向の曲げ剛性よりも高いため、中央領域の収縮力が高い構成においても、中央領域を平滑な状態に維持し易い。よって、体液の吸収面積をより確保し易い。また、吸収コアを身体に沿わせて配置し易くなり、装着時に脚に吸収コアが引っ掛かることを抑制し、引き上げやすくなる。
【００３７】
好ましい一態様によれば、前記中央領域には、少なくとも前記吸収コアを圧搾した圧搾部が形成されてよい。
【００３８】
本態様によれば、圧搾部によって中央領域の曲げ剛性が高くなり、中央領域は、平滑な状態に維持され、身体に沿うように配置される。よって、体液の吸収面積をより確保し易い。また、吸収コアを身体に沿わせて配置し易くなり、装着時に脚に吸収コアが引っ掛かることを抑制し、引き上げやすくなる。
【００３９】
好ましい一態様によれば、前記圧搾部は、前記低坪量部間に配置されてよい。
【００４０】
本態様によれば、低坪量部間の領域は、平滑な状態に維持され、身体に沿うように配置される。よって、体液の吸収面積をより確保し易い。また、吸収コアを身体に沿わせて配置し易くなり、装着時に脚に吸収コアが引っ掛かることを抑制し、引き上げやすくなる。
【００４１】
好ましい一態様によれば、前記中央領域には、前記前後方向に伸縮する中央弾性部材が配置されており、前記中央弾性部材は、前記圧搾部よりも前記幅方向の外側に配意されてよい。
【００４２】
本態様によれば、中央弾性部材が配置された領域は、中央弾性部材の収縮によって身体側に引き上げ、中央弾性部材間の領域は、圧搾部によって身体に沿って配置され易い。中央弾性部材間が身体に沿うような凸形状に変形し易くなる。よって、体液の吸収面積を確保しつつ、装着時に引き上げ易くなる効果をより得易い。
【００４３】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４４】
吸収性物品は、テープ型の使い捨ておむつである。図１は、本実施形態に係る吸収性物品１０の模式平面図である。図１に示す模式平面図は、伸長状態の使い捨ておむつを示している。図２は、図１に示す吸収性物品のＡ−Ａ断面に沿った模式断面図である。図３は、図１に示す吸収性物品のＢ−Ｂ断面に沿った模式断面図である。なお、本発明における伸長態とは、吸収性物品１０を皺が形成されない状態まで伸長させた状態である。また、本発明における自然状態とは、パッケージに収容されている吸収性物品１０にあっては、パッケージから吸収性物品１０を取り出し、２０℃±２℃、相対湿度６０％±５％ＲＨの雰囲気下において２４時間放置した状態である。
【００４５】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚さ方向Ｔを有する。厚さ方向Ｔは、着用者側に向かう肌対向面側Ｔ１と、肌対向面側と反対側の非肌対向面側Ｔ２と、に延びる。
【００４６】
吸収性物品１０は、前胴回り域Ｓ１と、後胴回り域Ｓ２と、中間域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。中間域Ｓ３は、着用者の股下に位置し、前胴回り域Ｓ１と後胴回り域Ｓ２との間に配置された領域である。中間域Ｓ３は、着用者の脚回りに配置される脚回り開口部が設けられた領域である。脚回り開口部は、吸収性物品の外側縁から幅方向の内側に凹む部分である。
【００４７】
吸収性物品１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体が構成されてよい。コアラップ３２は、テッシュによって構成され、吸収コア３１の肌対向面側Ｔ１と吸収コアの非肌対向面側に配置されてよい。
【００４８】
図１及び図３に示すように、吸収性物品１０は、吸収コア３１の前後方向の全長を３等分した前側域Ｒ１１、股下域Ｒ１３及び後側域Ｒ１２を有する。前側域Ｒ１１の後側に股下域Ｒ１３が配置され、股下域Ｒ１３の後側に後側域Ｒ１２が配置されている。前側域Ｒ１１の前後方向Ｌの長さ、股下域Ｒ１３の前後方向Ｌの長さ及び後側域Ｒ１２の前後方向Ｌの長さは、同じである。
【００４９】
股下域Ｒ１３は、中央領域Ｒ１３Ｃと、中央領域Ｒ１３Ｃよりも幅方向Ｗの両外側に位置するサイド領域Ｒ１３Ｓと、を有する。中央領域Ｒ１３Ｃは、吸収コア３１の幅方向Ｗの中心を跨いで配置されてよい。サイド領域Ｒ１３Ｓは、中央領域Ｒ１３Ｃの幅方向の両側に配置されてよい。中央領域Ｒ１３Ｃの両側の外側縁には、低坪量部３３が設けられてよい。低坪量部３３は、少なくとも中央領域Ｒ１３Ｃの外側縁に設けられていればよく、中央領域Ｒ１３Ｃの外側縁から幅方向Ｗの内側に延びていてもよい。低坪量部３３の外側縁は、中央領域Ｒ１３Ｃの外側縁を規定する。すなわち、低坪量部３３の外側縁は、サイド領域Ｒ１３Ｓと中央領域Ｒ１３Ｃの境界を規定する。ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００５０】
低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、装着状態で前後方向に延びる変形基点が形成され易い。低坪量部３３は、吸収材料の坪量が実質的に零の部分であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。
【００５１】
低坪量部３３は、少なくとも股下域Ｒ１３に設けられていればよく、股下域Ｒ１３から後側域Ｒ１２に跨がってよいし、股下域Ｒ１３から前側域Ｒ１１に跨がってもよい。低坪量部３３の前端縁３３Ｆは、股下域Ｒ１３に位置し、低坪量部３３の後端縁３３Ｒは、後側域Ｒ１２に位置してよい。各低坪量部３３の幅方向Ｗの長さは、２ｍｍ以上１０ｍｍ以下であってよく、低坪量部３３の前後方向Ｌの長さは、３０ｍｍ以上１８０ｍｍ以下であってよい。
【００５２】
吸収コア３１には、圧搾部３５が形成されてよい。圧搾部３５は、少なくとも吸収コア３１を厚さ方向Ｔに圧搾することによって形成されていればよく、コアラップ３２等の他の部材と吸収コア３１とが圧搾されることによって形成されてもよい。圧搾部３５は、少なくとも中央領域Ｒ１３Ｃに設けられてよい。本実施の形態の圧搾部３５は、点状であり、前後方向Ｌ及び幅方向Ｗに間隔を空けて複数設けられている。圧搾部３５は、低坪量部３３よりも前側かつ幅方向Ｗにおいける低坪量部３３間の領域に設けられている。
【００５３】
図２及び図３に示すように、吸収コア３１を含む吸収体３０の肌対向面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏弾性部材４３が設けられてよい。防漏弾性部材４３は、前後方向Ｌに伸縮する糸ゴムによって構成されてよい。サイドシート２２と防漏弾性部材４３は、着用時に肌対向面側Ｔ１に起立する防漏ギャザーを構成する。
【００５４】
吸収体３０の非肌対向面側Ｔ２には、裏面シート２３及び外装シート２４が設けられてよい。外装シート２４は、裏面シート２３の非肌対向面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００５５】
裏面シート２３と吸収体３０の間には、インジケータ５１が配置されてよい。インジケータ５１は、前後方向Ｌに延び、かつ幅方向Ｗに間隔を空けて配置されている。インジケータ５１は、幅方向Ｗにおいて低坪量部３３の間に配置されている。インジケータ５１は、吸収体が体液を吸収することによって変色し、吸収性物品１０の非肌対向面側Ｔ２から体液の吸収状態を把握できるように構成されている。
【００５６】
サイドシート２２と裏面シート２３の間、及びサイドシート２２と外装シート２４の間には、前後方向Ｌに延びるレッグ弾性部材４２が設けられてよい。レッグ弾性部材４２は、前後方向Ｌに伸縮する帯状の伸縮シートによって構成されてよい。レッグ弾性部材４２の収縮によって、着用時に吸収性物品１０が脚回りにフィットする。
【００５７】
吸収性物品１０は、吸収コア３１よりも幅方向Ｗの外側に延出するサイドフラップ１５を有してよい。サイドフラップ１５は、吸収コア３１よりも幅方向Ｗの外側に延出した部分である。サイドフラップ１５は、吸収コア３１の外側縁から吸収性物品１０の外側縁までの間に設けられる。図２に示すように、サイドフラップ１５は、表面シート２１、サイドシート２２、レッグ弾性部材４２、裏面シート２３及び外装シート２４によって構成されてよい。股下域Ｒ１３におけるサイドフラップ１５の幅方向の長さは、３０ｍｍ以上１００ｍｍ以下であってよい。股下域において吸収コア３１よりもサイドフラップ１５が３０ｍｍ以上延出しているため、装着時にサイドフラップ１５が着用者の脚に当たり易い。装着時にサイドフラップ１５が脚に当たることにより、吸収性物品を腹部に引き上げ難くなることがある。なお、サイドフラップの幅方向の長さは、股下域の少なくとも一部において３０ｍｍ以上であればよい。換言すると、股下域におけるサイドフラップの長さが変化する形態にあっては、３０ｍｍ以上の部分と、３０ｍｍ未満の部分と、を有してよい。３０ｍｍ以上の幅方向の長さを有するサイドフラップ１５が少なくとも一部で設けられていることにより、装着時にサイドフラップ１５が脚に当たり易くなる。本実施の形態の吸収性物品１０は、着用時にサイドフラップ１５が脚に当たり難く構成されている。このサイドフラップ１５が脚に当たり難い構成については、後述の装着状態の説明において詳細に説明する。
【００５８】
サイドフラップ１５の外側部には、ファスニングテープ９１が設けられている。ファスニングテープ９１は、後胴回り域Ｓ２において、幅方向Ｗに沿って延び、ターゲット部９２に止着されることにより、吸収性物品１０を着用者の身体に保持する。ターゲット部９２は、前胴回り域Ｓ１において、ファスニングテープ９１がそれぞれ止着するように構成されている。
【００５９】
股下域Ｒ１３において、中央領域Ｒ１３Ｃの前後方向Ｌの収縮力は、サイド領域Ｒ１３Ｓの前後方向Ｌの収縮力よりも高く構成されている。中央領域Ｒ１３Ｃは、サイド領域Ｒ１３Ｓよりも前後方向Ｌに収縮し易い。中央領域Ｒ１３Ｃと重なる領域に中央弾性部材４１が配置されることによって、中央領域Ｒ１３Ｃの前後方向Ｌの収縮力がサイド領域Ｒ１３Ｓの前後方向Ｌの収縮力よりも高くて構成されてもよい。中央弾性部材４１の収縮によって中央領域Ｒ１３Ｃがサイド領域Ｒ１３Ｓよりも収縮し易くなる。中央弾性部材４１は、装着時に股下域Ｒ１３の吸収コア３１が、中央領域Ｒ１３Ｃがサイド領域Ｒ１３Ｓよりも着用者側に突出した凸形状に変形するように設けられている。なお、収縮力は、吸収性物品１０の製品状態における収縮力であり、前後方向Ｌに伸縮する伸縮性部材（本実施の形態の中央弾性部材４１）の有効長及び自然状態での縮みによってサイド領域Ｒ１３Ｓと中央領域Ｒ１３Ｃの収縮力を比較できる。自然状態の縮み態様が大きい領域は、収縮力が高い領域となる。
【００６０】
なお、中央弾性部材４１は、糸ゴムなどの伸縮性部材が前後方向Ｌに伸縮可能な状態で配置された部分であり、前後方向Ｌに伸縮しない状態で伸縮性部材が配置された部分を含まない。すなわち、中央弾性部材４１は、中央弾性部材４１を構成する伸縮性部材の有効長部分である。また、本発明において重なっている状態とは、平面視にて一方の部材と他方の部材が重なっている状態であり、一方の部材の肌対向面側又は非肌対向面側に他方の部材が配置されている状態である。重なっている状態では、一方の部材と他方の部材が互いに接している状態のみならず、一方の部材と他方の部材の間に他の部材が介在している構成も含む。
【００６１】
次いで、図４から図６に基づいて、吸収性物品１０の装着状態について説明する。図４は、吸収性物品のＡ−Ａ断面における装着状態を模式的に示した図である。図５は、吸収性物品のＢ−Ｂ断面における装着状態を模式的に示した図である。図６は、実施形態に係る吸収性物品の状態を模式的に示した図であり、寝た状態の着用者を正面側から視認した図である。図４及び図５に示すラインＢＬは、着用者の身体のラインを示している。
【００６２】
テープ型の吸収性物品１０を装着する際は、まず、吸収性物品１０を展開した状態で吸収性物品１０の後胴回り域Ｓ２に着用者の臀部を載せる。そして、着用者の両脚の間に吸収性物品１０を通し、前胴回り域Ｓ１によって着用者の腹部を覆うことができるように吸収性物品１０を引き上げる。吸収性物品１０を着用者側に引き上げると、股下域Ｒ１３は、着用者の股下に対向して配置される。
【００６３】
装着時に、股下域Ｒ１３を着用者側に近づけるように吸収性物品１０を引き上げると、低坪量部３３の剛性が周囲よりも低いため、股下域Ｒ１３の吸収コア３１が低坪量部３３を基点に変形する。低坪量部３３は、前後方向Ｌに延びており、中央領域Ｒ１３Ｃとサイド領域Ｒ１３Ｓとの間に前後方向Ｌに延びる変形基点が形成される。このとき、中央領域Ｒ１３Ｃの前後方向Ｌの収縮力がサイド領域Ｒ１３Ｓの収縮力よりも高いため、中央領域Ｒ１３Ｃがサイド領域Ｒ１３Ｓよりも前後方向Ｌに収縮し、身体側に引き上げられる。よって、図４に示すように、股下域Ｒ１３の吸収コア３１は、中央領域Ｒ１３Ｃがサイド領域Ｒ１３Ｓよりも身体側に突出した凸形状に変形する。
【００６４】
股下域Ｒ１３の吸収コア３１が凸形状に変形することにより、装着時に吸収コア３１全体の幅方向Ｗの長さが短くなる。装着時にサイドフラップ１５が着用者の脚に当たり難くなり、吸収性物品１０が引き上げられ易くなる。また、股下域Ｒ１３の吸収コア３１が凸形状に変形することによって装着時の引き上げ易さを実現するため、股下域Ｒ１３全体の幅方向Ｗの長さを確保でき、体液の吸収面積を確保できる。
【００６５】
低坪量部３３が幅方向Ｗに離間していることにより、低坪量部３３間の領域が着用者の排泄口に対向して配置される。当該領域が排泄口に対向して配置されることにより、体液の吸収性が向上し、漏れを抑制できる。より好適には、図６に示すように、装着状態の吸収性物品１０を非肌対向面側Ｔ２から視認すると、吸収性物品１０は、低坪量部３３の外側縁を基点とした変形基点Ｆ１、一対の低坪量部３３の前端縁３３Ｆ同士を繋ぐ線に沿った変形基点Ｆ２、及び一対の低坪量部３３の後端縁３３Ｒ同士を繋ぐ線に沿った変形基点Ｆ３が形成されてよい。当該変形基点Ｆ１からＦ３によって囲まれた略矩形の領域が、着用者の排泄口に対向して配置される。変形基点Ｆ１からＦ３によって囲まれた領域が排泄口に対向して配置されることにより、体液の吸収性が向上し、漏れを抑制できる。
【００６６】
図２及び図４に示すように、中央弾性部材４１は、平面視にて中央領域Ｒ１３Ｃと重なる領域に配置されてよい。中央弾性部材４１の収縮によって、股下域Ｒ１３の吸収コア３１は、中央領域Ｒ１３Ｃがサイド領域Ｒ１３Ｓよりも着用者側に突出した凸形状に変形する。また、中央弾性部材４１は、幅方向Ｗにおいて、中央領域Ｒ１３Ｃの中心Ｒ１３ＣＬと中央領域Ｒ１３Ｃの外側縁Ｒ１３ＣＥとの中心Ｒ１３ＷＬよりも外側に配置されてよい。中央領域Ｒ１３Ｃの外側縁Ｒ１３ＣＥには、変形基点となる低坪量部３３が設けられている。中央弾性部材４１が、幅方向Ｗにおいて、中央領域Ｒ１３Ｃの中心と中央領域Ｒ１３Ｃの外側縁との中心Ｒ１３ＷＬよりも外側に位置することにより、中央弾性部材４１による収縮力が低坪量部３３に作用し易い。低坪量部３３は、坪量の違いによる剛性差及び中央弾性部材４１の収縮力の両方によって身体側に引き上げられ易くなる。よって、股下域Ｒ１３の吸収コアが凸形状に変形し易くなる。
【００６７】
中央弾性部材４１は、平面視にて低坪量部３３に重なって配置されてよい。このような構成によれば、中央弾性部材４１による収縮力が低坪量部３３により作用し易い。坪量の違いによる剛性差及び中央弾性部材４１の収縮力の両方によって低坪量部３３が身体側に引き上げられ易くなり、吸収コア３１が凸形状に変形し易くなる。
【００６８】
中央弾性部材４１は、平面視にて中央領域Ｒ１３Ｃの幅方向の中心と重ならない位置において、幅方向に離れて一対で配置されてよい。本実施の形態の中央弾性部材は、左右に離間して２本ずつの糸ゴムが配置されている。低坪量部３３間には、中央弾性部材４１と重ならない領域が設けられる。中央弾性部材４１と重ならない領域は、中央弾性部材４１が配置された領域及び低坪量部３３が設けられた領域よりも着用時に身体から離れて配置され易い。低坪量部３３間と身体との間に空間が形成されることにより、体液を確保する空間を設けることができ、体液の漏れを抑制できる。また、図６に示すように、中央弾性部材４１は、インジケータ５１よりも幅方向Ｗの外側に配置されてよい。中央弾性部材４１がインジケータ５１と重ならないため、中央弾性部材４１の収縮によってインジケータ５１が収縮し難くなることを抑制し、吸収性物品１０の外側から視認した際のインジケータ５１の視認性を確保できる。
【００６９】
より好適には、中央弾性部材４１は、幅方向Ｗに離間し、かつ低坪量部３３と重なる領域に配置されてよい。当該構成によれば、中央弾性部材４１と重ならない領域は、低坪量部３３が設けられた領域よりも着用時に身体から離れて配置され易く、中央弾性部材４１と重なる低坪量部３３は、着用時により身体に近づいて配置され易い。
【００７０】
他の形態において、中央弾性部材４１は、幅方向Ｗに一定の長さを有する伸縮性シートによって構成されてよい。伸縮性シートは、一対の低坪量部３３を跨ぐように配置されてもよい。
【００７１】
また、中央弾性部材４１は、吸収コア３１の非肌対向面側Ｔ２に配置されてよい。中央弾性部材４１が吸収コア３１の非肌対向面側Ｔ２に配置されていることにより、中央弾性部材４１によって吸収コア３１を着用者側に押し上げやすい。中央弾性部材４１によって吸収コア３１を身体側に近づけ、吸収コア３１をより凸形状に変形させ易くなる。
【００７２】
中央弾性部材４１は、平面視にてサイド領域Ｒ１３Ｓに重ならない領域に配置されてよい。すなわち、中央弾性部材４１は、中央領域Ｒ１３Ｃと重なる領域のみに配置されてよい。サイド領域Ｒ１３Ｓに中央弾性部材４１が配置されていないため、中央領域Ｒ１３Ｃがサイド領域Ｒ１３Ｓと比べてより身体側に引き上げられ易い。中央領域Ｒ１３Ｃが身体側に突出した凸形状により変形し易い。体液の吸収面積を確保しつつ、装着時に引き上げ易くなる効果をより得やすい。
【００７３】
中央弾性部材４１は、吸収性物品１０を前後方向Ｌに二つに折った折り目ＦＬを跨いで配置されてよい。吸収性物品１０の折り目ＦＬは、吸収性物品１０の前後方向Ｌの中心を通り、かつ幅方向Ｗに延びている。吸収性物品１０の折り目ＦＬは、折り癖によって装着時に身体から離れて配置されることがある。当該折り目ＦＬを跨いで中央弾性部材４１が配置されていることにより、折り癖を身体に近づけることができる。
【００７４】
図１に示すように、中央弾性部材４１の前後方向Ｌの中心４１ＣＬは、吸収性物品１０の前後方向Ｌの中心よりも後方に位置してよい。中央弾性部材４１が吸収性物品１０の後寄りに配置されていることにより、吸収性物品１０の前後方向Ｌの中心よりも後側をより収縮できる。吸収性物品１０の前後方向Ｌの中心よりも後側には、装着時に身体（臀部）を載せる領域が設けられている。当該身体を載せる領域と中央弾性部材４１によって収縮する領域が近いことにより、装着時に身体から延出した領域を身体に沿わせ易い。よって、装着時に身体を載せた領域は、体圧によって身体に密着し、当該身体から延出した領域は、中央弾性部材４１によって身体に密着し易くなる。吸収コア３１を身体に沿わせて配置し、装着時に脚等に吸収コア３１が引っ掛かることを抑制し、引き上げやすくなる。また、吸収コア３１を身体に沿わせて配置することにより、体液の吸収面積を確保できる。
【００７５】
図１に示すように、中央弾性部材４１の後端縁４１Ｒは、吸収性物品１０の後端縁から吸収性物品１０の前後方向Ｌの全長に対する１／３までの領域Ｓ４よりも前側に位置してよい。吸収性物品１０の後端縁から吸収性物品１０の前後方向Ｌの全長に対する１／３までの領域は、装着時に着用者の身体（臀部）を載せる領域となり易い。装着時に身体を載せる領域に中央弾性部材４１が設けられていないことにより、平滑な状態の吸収コア３１に身体を載せ、吸収コア３１を身体に沿って配置し易い。吸収コア３１を身体に沿わせて配置し、装着時に脚等に吸収コア３１が引っ掛かることを抑制し、引き上げやすくなる。また、吸収コア３１を身体に沿わせて配置することにより、体液の吸収面積を確保できる。
【００７６】
中央弾性部材４１の後端縁４１Ｒは、低坪量部３３の後端縁３３Ｒよりも前側に位置してよい。低坪量部３３よりも後側の領域は、中央弾性部材４１による収縮力が作用し難く、平滑な状態を維持し易い。低坪量部３３よりも後側の領域は、装着時に身体を乗せる吸収性物品１０の後端部は、平滑な状態で身体に沿い易い。吸収コア３１を身体に沿わせて配置し、装着時に脚等に吸収コア３１が引っ掛かることを抑制し、引き上げやすくなる。また、吸収コア３１を身体に沿わせて配置することにより、体液の吸収面積を確保できる。また、中央弾性部材４１の前端縁４１Ｆは、低坪量部３３の前端縁３３Ｆよりも後側に位置してよい。前後方向Ｌにおいて中央弾性部材４１が低坪量部３３よりも内側に位置していることにより、前後方向Ｌにおいて低坪量部３３が配置された領域のみが中央弾性部材４１によって収縮し、低坪量部３３が配置された領域のみをより身体に近づけて配置できる。低坪量部３３が配置された領域を頂点とした凸形状をより実現し易くなる。
【００７７】
図１に示すように、低坪量部３３間の距離Ｇ３３は、吸収コア３１の幅方向の最大長さ３１Ｍ１に対する１／２以下であってよい。低坪量部３３間の距離Ｇ３３は、低坪量部３３の内側縁同士の幅方向の距離であり、低坪量部３３間の距離が変化する構成にあっては、最も長い幅方向の距離である。低坪量部３３間は、着用時に身体に近づくように配置される。低坪量部３３間の距離Ｇ３３が吸収コア３１の最大長さ３１Ｗ１に対する１／２以下であることにより、着用者の脚の間に配置され易く、吸収コア３１の凸形状を維持し易い。また、低坪量部３３間の距離Ｇ３３は、股下域Ｒ１３における吸収コア３１の幅方向Ｗの最小長さ３１Ｗ２に対する１／２以下であってよい。当該低坪量部３３間の距離が、股下域Ｒ１３における吸収コア３１の最小長さに対する１／２以下であることにより、着用者の脚の間に配置され易く、吸収コアの凸形状を維持し易い。よって、装着時にサイドフラップ１５が着用者の脚に当たり難くなり、吸収性物品１０がより引き上げられ易くなる。また、低坪量部３３間の距離Ｇ３３は、３０ｍｍ以上３５ｍｍ以下であってよい。低坪量部３３間の距離Ｇ３３が３０ｍｍ以上３５ｍｍ以下であることにより、着用者の脚の間に配置され易く、吸収コア３１の凸形状を維持し易い。
【００７８】
また、中央領域Ｒ１３Ｃの幅方向Ｗの曲げ剛性は、サイド領域Ｒ１３Ｓの幅方向Ｗの曲げ剛性よりも高くてよい。中央領域Ｒ１３Ｃの幅方向Ｗの曲げ剛性がサイド領域Ｒ１３Ｓの幅方向Ｗの曲げ剛性よりも高いため、中央領域Ｒ１３Ｃの収縮力が高い構成においても、中央領域Ｒ１３Ｃを平滑な状態に維持し易い。吸収コア３１を身体に沿わせて配置し、装着時に脚等に吸収コア３１が引っ掛かることを抑制し、引き上げやすくなる。また、吸収コア３１を身体に沿わせて配置することにより、体液の吸収面積を確保できる。なお、中央領域Ｒ１３Ｃの少なくとも一部の領域の曲げ剛性が、サイド領域Ｒ１３Ｓの幅方向Ｗの曲げ剛性よりも高く構成されていればよく、中央領域Ｒ１３Ｃは、サイド領域Ｒ１３Ｓと同じ曲げ剛性の領域を部分的に有していてもよい。
【００７９】
中央領域Ｒ１３Ｃには、少なくとも吸収コア３１を圧搾した圧搾部３５が形成されてよい。圧搾部３５によって中央領域Ｒ１３Ｃの曲げ剛性が高くなり、中央領域Ｒ１３Ｃは、平滑な状態に維持され、身体に沿うように配置され易い。吸収コア３１を身体に沿わせて配置し、装着時に脚等に吸収コア３１が引っ掛かることを抑制し、引き上げやすくなる。また、吸収コア３１を身体に沿わせて配置することにより、体液の吸収面積を確保できる。
【００８０】
また、中央弾性部材４１は、圧搾部３５よりも幅方向の外側に配置されてよく、平面視にて圧搾部３５と重ならないように配置されてよい。中央弾性部材４１が配置された領域は、中央弾性部材４１の収縮によって身体側に引き上げ、中央弾性部材４１間の領域は、圧搾部３５によって身体に沿って配置され易い。中央弾性部材４１間が身体に沿うような凸形状に変形し易くなる。よって、体液の吸収面積を確保しつつ、装着時に引き上げ易くなる。
【００８１】
他の形態において、圧搾部３５以外の構成によって中央領域Ｒ１３Ｃの曲げ剛性がサイド領域Ｒ１３Ｓの曲げ剛性よりも高く構成されてよい。具体的には、曲げの吸収コア３１の坪量がサイド領域Ｒ１３Ｓの吸収コア３１の坪量よりも高いことによって、中央領域Ｒ１３Ｃの曲げ剛性がサイド領域Ｒ１３Ｓの曲げ剛性よりも高く構成されてよい。または、中央領域Ｒ１３Ｃに重なる資材を、サイド領域Ｒ１３Ｓに重なる資材よりも多くしたり、中央領域Ｒ１３Ｃに重なる資材の剛性をサイド領域Ｒ１３Ｓに重なる資材の剛性よりも高くしたりすることによって、中央領域Ｒ１３Ｃの曲げ剛性がサイド領域Ｒ１３Ｓの曲げ剛性よりも高く構成されてよい。
【００８２】
また、他の形態において、圧搾部３５は、低坪量部３３間に配置されてよい。幅方向Ｗにおける低坪量部３３間に圧搾部３５が配置されていることにより、低坪量部３３間の領域は、平滑な状態に維持され、身体に沿うように配置される。よって、体液の吸収面積を確保できる。
【００８３】
本明細書における「吸収コアの坪量」の測定は、以下の測定方法によって行われるものとする。吸収性物品１０がパッケージなどに封入されている場合には、パッケージから取り出し、その状態にて20℃±2℃、相対湿度60％±5％RHの雰囲気下において12時間放置したサンプルを用いる。包装シート等によって包装された吸収性物品においては包装シートを開封し、折り畳まれた吸収性物品を展開する。次いで、坪量を測定する部分を吸収性物品から切り出し、切り出した部分から表面シート等、吸収コア以外の部分を取り除く。そして、吸収コアの坪量を測定する部分の面積及び重量を測定する。重量と面積とに基づいて坪量を算出する。
【００８４】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向の長さは、30ｍｍ、前後方向の長さは、25ｍｍとすることができる。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００８６】
本発明によれば、装着時に引き上げ易く、かつ体液の吸収面積を確保できる吸収性物品を提供できる。
【符号の説明】
【００８７】
１０    吸収性物品
１５    サイドフラップ
２１    表面シート
２２    サイドシート
２３    裏面シート
２４    外装シート
３０    吸収体
３１    吸収コア
Ｒ１１    前側域
Ｒ１２    後側域
Ｒ１３    股下域
Ｒ１３Ｃ  中央領域
Ｒ１３Ｓ  サイド領域
３２    コアラップ
３３    低坪量部
４１    中央弾性部材
４２    レッグ弾性部材
４３    防漏弾性部材
５１    インジケータ
９１    ファスニングテープ
９２    ターゲット部
Ｌ      前後方向
Ｗ      幅方向
Ｔ      厚さ方向
Ｔ１    肌対向面側
Ｔ２    非肌対向面側
Ｓ１    前胴回り域
Ｓ２    後胴回り域
Ｓ３    中間域
【図１】
2019129905.tif 000003
【図２】
2019129905.tif 000004
【図３】
2019129905.tif 000005
【図４】
2019129905.tif 000006
【図５】
2019129905.tif 000007
【図６】
2019129905.tif 000008